(57)【特許請求の範囲】
【請求項１】
照明器具の監視制御や各種データ設定の信号を伝送する伝送信号線と；
前記伝送信号線を介して前記照明器具の監視制御を行う各種端末器と接続している複数の中央制御装置と；
前記伝送信号線上の伝送データの伝送速度と異なる伝送速度を有するローカルエリアネットワークを介して複数の中央制御装置に接続され、伝送データを中央制御装置に送信する際に１アドレス分のデータを１電文の中に集約する中央処理装置と；
を具備し、
前記中央処理装置は、前記ローカルエリアネットワークの第１実行速度及び前記伝送信号線の第２実行速度の監視を行い、第１実行速度が第２実行速度より速い場合には、前記中央処理装置は複数データを集約して中央制御装置に電文を送信し、逆に第１実行速度が第２実行速度より遅い場合には、前記中央処理装置は直ちに生成された伝送データを送信することを特徴とする照明制御システム。
【発明の詳細な説明】
【技術分野】
【０００１】
本発明は、屋内外の多くの照明負荷等を点／消灯、調光する照明制御システムに関する。
【背景技術】
【０００２】
一般に、照明制御システムは、中央処理装置に多重伝送ライン（ローカルエリアネットワーク）を介して複数の中央制御装置が接続され、それぞれの中央制御装置に別の多重伝送ライン（伝送信号線）を介して照明器具を監視制御する各種端末装置を接続して構成される。伝送信号線の伝送信号は、複極（±２４Ｖ）の時分割多重信号であり、伝送信号線は、この時分割多重信号に含まれるデータを送受信し、伝送信号線に接続された端末器を介して負荷を監視制御する。
【０００３】
端末器には、照明器具を点灯／消灯制御したり照明器具を調光制御する制御端末器と、照明器具のオンオフスイッチのオンオフを監視する監視端末器とがあり、中央制御装置は監視端末器の状態変化に応じて該当の制御端末器に制御データを送信し負荷を制御する。
【０００４】
ここで、中央処理装置から端末器への伝送データが送出されると、中央制御装置は、当該伝送データを端末器に伝送するためにデータ変換を行う。この場合、データ変換の処理量が膨大となり、処理時間の遅延が発生することがある。そこで、中央処理装置から送出された伝送データを、少なくともモード、アドレスおよび制御データを同一状態で伝送信号線用の送信信号に変換して端末器に送出するとともに、端末器から送信された送信信号を、少なくともモード、アドレスおよび監視データを同一状態でローカルエリアネットワーク用の伝送データに変換して中央処理装置に送出するように形成し、中央処理装置からの伝送データの処理遅延を抑制した照明制御システムがある（例えば、特許文献１参照）。
【特許文献１】特開２００４−１８５８７７号公報
【発明の開示】
【発明が解決しようとする課題】
【０００５】
中央制御装置と端末器との間の伝送信号線の伝送速度は、中央処理装置と中央制御装置との間のローカルエリアネットワーク（ＬＡＮ）の通信速度と比較して低速である。そのため、例えば中央処理装置から順次伝送データが中央制御装置に送信された場合に、中央制御装置が一つの伝送データに対して端末器に伝送処理を終了する以前に、次の伝送データが中央制御装置に伝送されてくることになり、次の伝送データの処理が待たされることになる。
【０００６】
このような伝送処理の遅延が生じると、手動操作の場合に操作員が遅く感じてしまい、さらに続けて二度操作してしまう場合があり、そうすると、さらに伝送データの処理が増加して伝送処理の遅延が発生することになり悪循環となる。
【０００７】
本発明の目的は、中央制御装置の伝送処理を効率的に行い、見かけ上伝送速度の向上を図ることができる照明制御システムを提供することである。
【課題を解決するための手段】
【０００８】
請求項１の照明制御システムは、照明器具の監視制御や各種データ設定の信号を伝送する伝送信号線と；前記伝送信号線を介して前記照明器具の監視制御を行う各種端末器と接続している複数の中央制御装置と；前記伝送信号線上の伝送データの伝送速度と異なる伝送速度を有するローカルエリアネットワークを介して複数の中央制御装置に接続され、伝送データを中央制御装置に送信する際に１アドレス分のデータを１電文の中に集約する中央処理装置と；を具備し、前記中央処理装置は、前記ローカルエリアネットワークの第１実行速度及び前記伝送信号線の第２実行速度の監視を行い、第１実行速度が第２実行速度より速い場合には、前記中央処理装置は複数データを集約して中央制御装置に電文を送信し、逆に第１実行速度が第２実行速度より遅い場合には、前記中央処理装置は直ちに生成された伝送データを送信することを特徴とする。
【０００９】
伝送信号線は、照明器具の監視制御や各種データ設定の信号を伝送するものであり、中央制御装置と各種端末器との間を接続する。端末器には監視端末器や制御端末器が含まれる。監視端末器は、例えば、オンオフスイッチやセンサ入力用端末器等を備えたものであり、制御端末器は、接続された照明用ランプを点灯制御するものまたは制御用の信号を送出するものである。また、監視端末器および制御端末器は、それぞれ調光制御機能を備えた調光用監視端末器および調光用制御端末器であってもよい。
【００１０】
中央制御装置は、この伝送信号線に接続された監視端末器や制御端末器を監視制御するものである。中央処理装置は伝送信号線上の伝送データの伝送速度と異なる伝送速度のローカルエリアネットワークを介して複数の中央制御装置に接続され、中央制御装置に制御端末器への制御データを送信するとともに中央制御装置から監視端末器の監視データを受信する。伝送データを中央制御装置に送信する際に、１アドレス分のデータを１電文の中に集約して送信する。例えば、１アドレス分のデータが４チャンネルからなる場合には、４チャンネル分のデータを集約してから送信する。
【００１２】
相対的に中央制御装置の伝送処理の負荷が軽い場合には、中央処理装置は直ちに生成された伝送データを中央制御装置に送信する。
【発明の効果】
【００１３】
請求項１の発明によれば、伝送データを中央制御装置に送信する際に１アドレス分のデータを１電文の中に集約するので、見かけの通信速度をアップすることができる。従って、手動操作した場合の動作遅延を軽減でき、不必要な重複操作をなくすことができる。また、中央制御装置による伝送信号線の伝送処理に余裕がある場合には、中央処理装置は直ちに生成された伝送データを中央制御装置に送信するので、効率よく通信が行われる。
【発明を実施するための最良の形態】
【００１５】
図１は本発明の実施の形態に係わる照明制御システムの構成図である。図１において、中央処理装置１１は、ハブ１２およびローカルエリアネットワーク（ＬＡＮ）１３を介して複数の中央制御装置１４に接続されている。中央制御装置１４は、例えば照明ゾーン毎に一台設置される。中央制御装置１４は、それぞれ伝送信号線１５を介して複数の監視端末器１６および複数の制御端末器１７を接続している。伝送信号線１５は、複極（±２４Ｖ）の時分割多重信号で示されたデータを送受信する伝送信号線である。
【００１６】
ローカルエリアネットワーク１３を伝送する伝送データの伝送速度は、伝送信号線１５を伝送する送信信号の伝送速度以上となっている。中央制御装置１４は、伝送信号線１５に接続された監視端末器１６や制御端末器１７を介して照明器具１８を監視制御する。
【００１７】
外部設定器１９は、監視端末器１６や制御端末器１７のアドレス設定および中央制御装置１４に記憶されるシステムデータの設定を行うものであり、監視端末器１６に設けられた図示省略のジャックに接続される。
【００１８】
中央処理装置１１は中央制御装置１４と伝送データを送受信し照明器具１８を監視制御する。特に、伝送データを中央制御装置に送信する際に１アドレス分のデータを１電文の中に集約する。
【００１９】
図２は中央処理装置により１アドレス分のデータを１電文の中に集約し中央制御装置に送信する場合の処理内容の説明図である。図２に示すように、伝送データ２０は１アドレス分のデータからなり、図２では、１アドレスのデータが４チャンネルからなる場合を示している。
【００２０】
伝送データ２０は制御端末器１７への制御データとして４チャンネル（４回路）分のデータを有し、中央処理装置１１は１チャンネル（１回路）分毎に伝送データ２０を生成する。伝送データ２０ａはチャンネルＣＨ１、伝送データ２０ｂはチャンネルＣＨ２、伝送データ２０ｃはチャンネルＣＨ３、伝送データ２０ｄはチャンネルＣＨ４にそれぞれ制御データを有する伝送データである。
【００２１】
これは、中央制御装置１１が制御・監視を行う制御端末器１７や監視端末器１６は１端末器で４回路を持っているので、中央制御装置１１と各端末器との間の１伝送データに複数（４個）のデータで制御を行うためである。中央処理装置１１は、これらの伝送データのチャンネルＣＨ１〜ＣＨ４の制御データを集約した伝送データ２０ｅを求め、この伝送データを送信する。
【００２２】
これにより、中央制御装置１４では１フレーム伝送データに複数回路ＣＨ１〜ＣＨ４の情報を持つことができる。従って、複数の電文で個別に制御データが送られてくる場合には４個の伝送データとなるのに対し、制御データを集約することで１個の伝送データとなり、伝送速度を見かけ速くすることができる。
【００２３】
このように、中央制御装置１４が監視端末器１６や制御端末器１７を制御・監視する速度を見かけ上、速くすることができるので、中央処理装置１１と中央制御装置１４との間の通信速度と比較して、中央制御装置１４が監視端末器１６や制御端末器１７を制御・監視する速度が遅い場合に有効である。
【００２４】
次に、中央処理装置１１は、ローカルエリアネットワーク１３の第１実行速度の監視を行うとともに、伝送信号線１５の第２実行速度の監視を行う。第１実行速度の監視は中央処理装置１１から周期的にチェック信号を送信し、そのチェック信号に対する応答時間により判定する。第２実行速度の監視は中央処理装置１１から中央制御装置１４に送信した伝送データに対しての応答時間により判断する。中央制御装置１４に送信した伝送データに対しての応答時間が所定時間以上掛かるときは、例えば中央制御装置１４は中央処理装置１１に「busy」信号を返信する。
【００２５】
中央処理装置１１は「busy」信号を受け取ると第１実行速度の監視を行う。この第１実行速度の監視は中央処理装置１１からチェック信号を送信し、そのチェック信号に対応する応答時間により判定する。
【００２６】
中央処理装置１１は、第１実行速度が第２実行速度より速い場合には、図２に示したように、複数データを集約して中央制御装置に電文を送信する。一方、第１実行速度が第２実行速度より遅い場合には、中央処理装置１１は直ちに生成された伝送データを送信する。
【００２７】
図３は中央処理装置により直ちに生成された伝送データを中央制御装置に送信する場合の処理内容の説明図である。中央処理装置１１は１チャンネル（１回路）分毎に伝送データ２０を生成する。そして、チャンネルＣＨ１の制御データのみの伝送データ２０ａ、チャンネルＣＨ２の制御データのみの伝送データ２０ｂ、チャンネルＣＨ３の制御データのみの伝送データ２０ｃ、チャンネルＣＨ４の制御データのみの伝送データ２０ｄが生成される都度に、中央処理装置１１は生成された伝送データを直ちに中央制御装置１４に送信する。これにより、中央制御装置１４による伝送信号線１５の伝送処理に余裕がある場合には、効率よく通信を行うことができる。
【００２８】
本発明の実施の形態によれば、中央処理装置１１では中央制御装置１４が１伝送データに複数の制御データを入れて送信できるように、中央処理装置１１と中央制御装置１４との間の通信データに各端末器に合わせた１つのデータに集約して中央制御装置１４に送信するので、中央制御装置１４の処理量が軽減され、見かけ上、処理速度が向上する。
【００２９】
また、ローカルエリアネットワーク１３の第１実行速度と伝送信号線１５の第２実行速度との監視を行い、第１実行速度が第２実行速度より遅い場合には、中央処理装置１１は直ちに生成された伝送データを送信する。従って、１台の中央処理装置１１に対して複数の中央制御装置１４が接続され、中央処理装置１１と中央制御装置１１との間の通信データが膨大となって、中央処理装置１１と中央制御装置１１との間の通信速度が中央制御装置１４と各端末器との間の伝送速度より遅くなる場合に有効である。
【図面の簡単な説明】
【００３０】
【図１】本発明の実施の形態に係わる照明制御システムの構成図。
【図２】本発明の実施の形態における中央処理装置により１アドレス分のデータを１電文の中に集約し中央制御装置に送信する場合の処理内容の説明図。
【図３】本発明の実施の形態における中央処理装置により直ちに生成された伝送データを中央制御装置に送信する場合の処理内容の説明図。
【符号の説明】
【００３１】
１１…中央処理装置、１２…ハブ、１３…ローカルエリアネットワーク、１４…中央制御装置、１５…伝送信号線、１６…監視端末器、１７…制御端末器、１８…照明器具、１９…外部設定器、２０…伝送データ
【図１】
0004816039.tif 000002
【図２】
0004816039.tif 000003
【図３】
0004816039.tif 000004